(57)【要約】【課題】滞留している用紙における画像形成開始位置の上流側に位置する部分に弛みを形成することで、用紙搬送路からの用紙の除去作業を容易かつ簡単に行うことができるようにする。【解決手段】画像形成装置１０にカバー部材５及びストッパ７を設けた。カバー部材５は、用紙搬送路１１における搬送ローラ対３の配置位置よりも上流側から画像形成開始位置１１１と画像形成終了位置１１２との間の位置までの範囲を用紙１００の裏面に対向する側に選択的に開放する。ストッパ７は、画像形成開始位置１１１の下流側の近傍で用紙１００の変位を規制する。カバー部材５を開放すると、画像形成開始位置１１１の上流側に位置する部分が裏面に対向する側に弛みを生じる。用紙１００の弛みを生じている部分を外部に引き出すことで、手指を汚損することなく用紙１００を除去できる。【選択図】図３
2010061051.tif 000002
【特許請求の範囲】
【請求項１】
それぞれで用紙を挟持する画像形成開始位置及び画像形成終了位置を経由して用紙を搬送する用紙搬送路と、
前記用紙搬送路内の前記画像形成開始位置から前記画像形成終了位置までの間で用紙の表面に画像を形成する画像形成部と、
前記用紙搬送路内の前記画像形成開始位置の上流側で用紙に下流側に向かう搬送力を供給する搬送部材と、
前記用紙搬送路内の少なくとも前記搬送部材の配置位置の下流側から前記画像形成開始位置を含む範囲で用紙の裏面が対向する側を外部に対して開閉自在に被覆するカバー部材と、
前記カバー部材による前記範囲の開放時に、先端が前記用紙搬送路内の前記画像形成開始位置を通過した用紙における前記用紙搬送路内の前記搬送部材の配置位置と前記画像形成開始位置との間に位置する部分を前記カバー部材に向かって付勢する付勢手段と、を設けた画像形成装置。
【請求項２】
前記付勢手段は、先端が前記用紙搬送路内の前記画像形成開始位置を通過した用紙における少なくとも前記用紙搬送路内の前記画像形成開始位置よりも下流側に位置する部分の変位を規制する規制部材と、前記カバー部材の開放動作に伴って前記搬送部材を用紙に前記搬送力を供給するように動作させる第１の伝達部材と、を含む請求項１に記載の画像形成装置。
【請求項３】
前記付勢手段は、前記用紙搬送路内の前記搬送部材の配置位置と前記画像形成開始位置とを含む範囲を、用紙の裏面が対向する側に凸となる形状に規定する搬送ガイドを含む請求項１又は２に記載の画像形成装置。
【請求項４】
前記規制部材は、用紙の裏面に当接するストッパである請求項２又は３に記載の画像形成装置。
【請求項５】
前記ストッパは、用紙の裏面に当接する位置と当接しない位置とに選択的に移動自在にされ、
操作時に画像形成終了位置における用紙の挟持状態の解除動作を行う解除部材と、前記解除部材による解除動作を用紙の裏面に当接しない位置への移動力として前記ストッパに伝達する第２の伝達部材と、をさらに備えた請求項４に記載の画像形成装置。
【請求項６】
前記画像形成部は、前記画像形成開始位置で用紙の表面が対向する側に配置された感光体と、前記画像形成開始位置で用紙の裏面が対向する側に配置された転写器と、前記画像形成終了位置で用紙を挟むように配置された定着器とを備えた電子写真方式の画像形成部であり、前記転写器を前記カバー部材に支持させた請求項１乃至５の何れかに記載の画像形成装置。
【発明の詳細な説明】
【技術分野】
【０００１】
この発明は、用紙搬送路を搬送中の用紙に画像形成部で画像を形成するプリンタや複写機等の画像形成装置に関し、特に用紙搬送路内の画像形成部の配置位置を含む範囲に滞留した用紙の除去作業の簡略化を考慮した画像形成装置に関する。
【背景技術】
【０００２】
用紙に画像を形成する画像形成装置は、用紙を収納した給紙部から画像形成部を経由して画像形成済の用紙を収容する排紙部までの間に用紙搬送路が形成されている。例えば、電子写真方式の画像形成装置では、画像形成開始位置で感光体の表面から用紙にトナー像を転写した後に画像形成終了位置で用紙を加熱及び加圧するため、用紙搬送路が長くなって用紙に機械的な負荷が作用し易く、用紙搬送路内で用紙の搬送不良を発生し易い。
【０００３】
搬送不良によって用紙が用紙搬送路内に滞留すると、用紙を適正に搬送できなくなるだけでなく、装置の破損や故障の原因ともなる。このため、画像形成装置は、用紙搬送路内における用紙の滞留を検出すると、画像形成動作及び用紙の搬送を停止し、滞留している用紙の除去作業を促す。
【０００４】
ところが、用紙搬送路内に滞留した用紙は、搬送ローラ対等の搬送手段に挟持されて用紙搬送路から容易に除去できない場合が多い。
【０００５】
そこで、従来の画像形成装置には、用紙の搬送不良を生じた際に、用紙搬送路内に滞留する用紙の一部に弛みを形成するものがある（例えば、特許文献１〜３参照。）。これらの装置では、用紙の滞留を検出した際に、用紙搬送路内に配置された上流側の搬送部材の停止タイミングと下流側の搬送部材の停止タイミングとに時間差を与え、又は所定時間回転を継続する搬送部材の近傍に用紙の変位を規制するストッパを設けている。作業者は弛みが形成されている部分を手指で摘んで用紙搬送路から用紙を引き出すことができ、滞留している用紙の除去作業を簡略化できるとされている。
【特許文献１】特開平０７−１５７１４１号公報
【特許文献２】特開平０８−２１１７７６号公報
【特許文献３】特開２０００−４４０８６号公報
【発明の開示】
【発明が解決しようとする課題】
【０００６】
しかし、従来の画像形成装置では、滞留した用紙における弛みを形成する部分に関して十分な考慮がなされておらず、用紙の除去作業を十分に簡略化することができない。
【０００７】
即ち、特許文献１〜３に開示された構成では、何れも先端が画像形成開始位置を通過した用紙における画像形成開始位置の下流側に位置する部分に弛みを形成している。用紙における画像形成開始位置と画像形成終了位置との間に位置する部分には、画像形成終了位置で定着器による定着を受けていないトナー像が付着しているため、この部分に弛みを形成すると作業者の手指を汚損する。また、先端が画像形成終了位置を通過した用紙の画像形成終了位置の下流側に位置する部分に弛みを形成すると、用紙の画像形成終了位置の上流側から下流側に引き出される部分に転写された未定着のトナー像が定着器を汚損する。
【０００８】
これらの問題は、電子写真方式以外の方式の画像形成装置においても同様に生じる。例えば、画像形成開始位置で用紙にインクを吐出するインクジェット方式の画像形成装置でも、滞留している用紙における画像形成開始位置の下流側に位置する部分に弛みが形成されると、用紙上の未乾燥のインクが作業者の手指を汚損する。
【０００９】
この発明の目的は、滞留している用紙における画像形成開始位置の上流側に位置する部分に弛みを形成することで、用紙搬送路からの用紙の除去作業を容易かつ簡単に行うことができる画像形成装置を提供することにある。
【課題を解決するための手段】
【００１０】
この発明の画像形成装置は、用紙搬送路、画像形成部、搬送部材、カバー部材、付勢手段を備えている。用紙搬送路は、それぞれで用紙を挟持する画像形成開始位置及び画像形成終了位置を経由して用紙を搬送する。画像形成部は、用紙搬送路内の画像形成開始位置から画像形成終了位置までの間で用紙の表面に画像を形成する。搬送部材は、用紙搬送路内の画像形成開始位置の上流側で用紙に下流側に向かう搬送力を供給する。カバー部材は、用紙搬送路内の少なくとも搬送部材の配置位置の下流側から画像形成開始位置を含む範囲で用紙の裏面が対向する側を外部に対して開閉自在に被覆する。付勢手段は、カバー部材による用紙搬送路の開放時に、先端が用紙搬送路内の画像形成開始位置を通過した用紙における用紙搬送路内の搬送部材の配置位置と画像形成開始位置との間に位置する部分をカバー部材に向かって付勢する。
【００１１】
この構成では、用紙搬送路の一部における用紙の裏面が対向する側を外部に開放すると、先端が用紙搬送路内の画像形成開始位置を通過した用紙における用紙搬送路内の搬送部材の配置位置と画像形成開始位置との間に位置する部分に弛みが形成される。この部分は、画像形成開始位置に達していない部分であり、用紙搬送路内で外部に開放されている範囲に含まれる。このため、滞留している用紙は、画像形成を受けていない部分を介して外部に引き出される。
【００１２】
この構成において、付勢手段として、規制部材及び伝達部材を備えたものとすることができる。規制部材は、先端が用紙搬送路内の画像形成開始位置を通過した用紙における少なくとも用紙搬送路内の画像形成開始位置よりも下流側に位置する部分の変位を規制する。伝達部材は、カバー部材の開放動作に伴って搬送部材を用紙に搬送力を供給するように動作させる。
【００１３】
用紙の除去作業の開始時にカバー部材を開放すると、その動作が伝達部材を介して搬送部材に伝達され、搬送部材が用紙に搬送力を供給する。搬送部材から搬送力が供給された用紙の搬送部材よりも下流側に位置する部分のうち、画像形成開始位置よりも下流側に位置する部分は規制部材によって変位を規制される。したがって、用紙搬送路における搬送部材の配置位置と規制部材の配置位置との間の距離よりも余剰に搬送された用紙の部分によって、搬送部材の配置位置と画像形成開始位置との間で弛みを形成することができる。
【００１４】
付勢手段は、搬送ガイドを含むものとすることが好ましい。搬送ガイドは、用紙搬送路内の搬送部材の配置位置と画像形成開始位置とを含む範囲を、用紙の裏面が対向する側に凸となる形状に規定する。用紙における用紙搬送路内の搬送部材の配置位置と画像形成開始位置との間に位置する部分に外部に凸となる弛みを確実に形成することができる。
【００１５】
規制部材としては、用紙の裏面に当接するストッパを用いることが好ましい。付勢手段から付勢力が作用した用紙における画像形成開始位置の上流側に位置する部分が、カバー部材に向かって変位することを防止でき、用紙における用紙搬送路内の搬送部材の配置位置と画像形成開始位置との間に位置する部分に外部に凸となる弛みをより確実に形成することができる。
【００１６】
ストッパを用紙の裏面に当接する位置と当接しない位置とに選択的に移動自在にし、解除部材及び第２の伝達部材をさらに備えることが好ましい。解除部材は、操作時に画像形成終了位置における用紙の挟持状態の解除動作を行う。第２の伝達部材は、解除部材による解除動作を用紙の裏面に当接しない位置への移動力としてストッパに伝達する。これにより、解除部材の操作によって画像形成終了位置における用紙の挟持の解除と、ストッパの用紙裏面に当接する位置からの退避と、を行うことができる。
【００１７】
これらの構成を、電子写真方式の画像形成部を備えた画像形成装置に適用する場合、画像形成開始位置で用紙の裏面が対向する側に配置された転写器をカバー部材に支持させることが好ましい。カバー部材による用紙搬送路の開放時に、転写器もカバー部材とともに外部に露出するため、画像形成開始位置での転写器と感光体とによる用紙の挟持を解除でき、用紙搬送路からの用紙の除去作業をより容易に行うことができる。
【発明の効果】
【００１８】
この発明によれば、滞留している用紙における画像形成開始位置の上流側に位置する部分に弛みを形成することができ、作業者は手指を汚損することなく滞留している用紙に触れることができる。これによって、用紙搬送路からの用紙の除去作業を容易かつ簡単に行うことができる。
【発明を実施するための最良の形態】
【００１９】
以下に、この発明の画像形成装置について、図面を参照して説明する。
【００２０】
図１は、この発明の実施形態に係る画像形成装置の概略の側面断面図である。画像形成装置１０は、一例として、用紙に対して電子写真方式の画像形成を行うプリンタであり、給紙トレイ１、給紙ローラ２、搬送ローラ対３、画像形成部４、カバー部材５を備えている。
【００２１】
給紙トレイ１は、複数枚の用紙を収納する。給紙ローラ２は、矢印Ａ方向に回転して給紙トレイ１に収納されている用紙を１枚ずつ給紙する。搬送ローラ対３は、給紙ローラ２によって給紙された用紙を画像形成部４に向けて搬送する。搬送ローラ対３は、この発明の搬送部材であり、押圧バネ３１により互いに圧接する２本のローラで構成されている。
【００２２】
画像形成部４は、感光体ドラム４１、帯電器４２、露光器４３、現像器４４、転写器４５、クリーナ４６、定着装置４７を備えている。感光体ドラム４１は、矢印Ｂ方向に回転自在に支持されている。感光体ドラム４１の周囲に矢印Ｂ方向に沿って、帯電器４２、露光器４３、現像器４４、転写器４５及びクリーナ４６がこの順に配置されている。感光体ドラム４１の表面に対して、帯電器４２による帯電、露光器４３による画像データで変調した画像光の露光、現像器４４からのトナーの供給による現像、転写器４５による用紙の表面へのトナー像の転写が順次行われる。
【００２３】
定着装置４７は、加熱ローラ４７１、加圧ローラ４７２及び押圧バネ４７３を備えている。加熱ローラ４７１は、内部のヒータでトナーを溶融可能な所定温度まで表面を加熱されている。加圧ローラ４７２は、押圧バネ４７３の弾性力によって加熱ローラ４７１に圧接する。用紙は加熱ローラ４７１と加圧ローラ４７２との間を通過する際に加熱及び加圧され、用紙の表面にトナー像が堅牢に定着する。定着装置４７を通過した用紙は、図示しない排紙トレイに排出される。
【００２４】
画像形成装置１０の内部には、給紙トレイ１から画像形成開始位置１１１及び画像形成終了位置１１２を経由して排紙トレイに至る間に、Ｕ字状の湾曲部を含む用紙搬送路１１が形成されている。画像形成開始位置１１１は、用紙搬送路１１における感光体ドラム４１及び転写器４５の配置位置である。画像形成終了位置１１２は、用紙搬送路１１における加熱ローラ４７１及び加圧ローラ４７２の配置位置である。画像形成開始位置１１１では用紙に対してトナー像の転写による画像形成が開始され、画像形成終了位置１１２では用紙に対してトナー像が定着されて画像形成が終了する。
【００２５】
用紙搬送路１１の用紙の裏面に対向する側の一部は、カバー部材５及びガイド部材６によって構成されている。カバー部材５は、下端部の軸５１を支点として図示しないフレームに回動自在に支持されており、用紙搬送路１１の搬送ローラ対３の下流側の位置から画像形成開始位置１１１の下流側の位置までの範囲を外部に対して開閉自在に被覆している。カバー部材５は、転写器４５を押圧バネ４５１を介して支持している。転写器４５は、押圧バネ４５１の弾性力によって感光体ドラム４１に向かって付勢されている。カバー部材５の開閉動作に伴って転写器４５が感光体ドラム４１に対して離間及び圧接する。
【００２６】
ガイド部材６は、この発明の搬送ガイドであり、上面が凹状に湾曲しており、用紙搬送路１１における画像形成開始位置１１１の上流側に用紙の裏面が対向する側に凸となる湾曲部を形成している。ガイド部材６は、搬送ローラ対３のうち、用紙の裏面に対向する側のローラを押圧バネ３１を介して支持している。
【００２７】
用紙搬送路１１における画像形成開始位置１１１の下流側で、画像形成開始位置１１１の近傍には、ストッパ７が配置されている。ストッパ７は、この発明の規制部材である。
【００２８】
図２は画像形成装置の伝達部材の構成及び動作を示す図であり、（Ａ）及び（Ｂ）は側面図、（Ｃ）は平面図である。画像形成装置１０は、伝達機構８を備えている。伝達機構８は、駆動ギア８１、遊星ギア８２、搬送ローラギア８３、欠け歯ギア８４、連結ギア８５、カバーギア８６、ラチェット８７を備え、カバー部材５の開放動作に伴って用紙に搬送力を供給するように搬送ローラ対３を動作させる。
【００２９】
伝達機構８は、この発明の第１の伝達部材であり、ストッパ７とともに、この発明の付勢手段に含まれる。
【００３０】
駆動ギア８１は、図示しないモータから回転が供給される。遊星ギア８２は、駆動ギア８１に噛合して公転しつつ自転する。搬送ローラギア８３は、搬送ローラ対３の上側ローラ３Ａの回転軸３３にラチェット８７を介して取り付けられている。カバーギア８６は、カバー部材５の軸５１に取り付けられている。欠け歯ギア８４及び連結ギア８５は、互いに噛合し、搬送ローラギア８３とカバーギア８６との間に配置されている。欠け歯ギア８４は、搬送ローラギア８３に選択的に噛合する。連結ギア８５は、カバーギア８６に常時噛合する。
【００３１】
ラチェット８７は、搬送ローラギア８３の矢印Ｃ方向の回転のみを回転軸３３に伝達し、回転軸３３の矢印Ｃ方向の回転を搬送ローラギア８３に伝達しない。回転軸３３は、搬送ローラギア８３が停止している状態で、矢印Ｃ方向に自由に回転する。
【００３２】
図２（Ａ）に示すように、カバー部材５が用紙搬送路１１を閉鎖している状態で、モータの駆動時に駆動ギア８１が回転すると、遊星ギア８２が自転しつつ矢印Ｄ方向に公転し、搬送ローラギア８３に噛合して駆動ギア８１の回転を搬送ローラギア８３に伝達する。これによって、上側ローラ３Ａが搬送ローラギア８３とともに矢印Ｃ方向に回転し、用紙を下流側に搬送する。このとき、欠け歯ギア８４は、搬送ローラギア８３に噛合しておらず、駆動ギア８１の回転が連結ギア８５及びカバーギア８６に伝達されることはない。
【００３３】
図２（Ｂ）に示すように、モータが駆動されていない時にカバー部材５が用紙搬送路１１を開放する方向に回動すると、カバーギア８６が矢印Ｅ方向に回転する。カバーギア８６の回転は連結ギア８５を介して欠け歯ギア８４に伝達され、欠け歯ギア８４が搬送ローラギア８３に噛合して搬送ローラギア８３が上側ローラ３Ａとともに矢印Ｃ方向に回転する。このとき、搬送ローラ対３に一部が挟持された用紙に下流側への搬送力が作用する。
【００３４】
図３は、滞留した用紙の除去作業にカバー部材を開放した状態を示す画像形成装置の概略の側面断面図である。一例として、定着装置４７内の画像形成終了位置１１２の下流側で用紙１００の搬送不良を生じた場合、画像形成装置１０は、画像形成動作及び用紙搬送動作を停止し、図示しない表示部での表示等により、滞留した用紙１００の除去作業を促す。
【００３５】
滞留した用紙１００の除去作業時には、軸５１を中心にカバー部材５を回動させ、用紙搬送路１１における搬送ローラ対３の配置位置の下流側から画像形成開始位置１１１と画像形成終了位置１１２の間の位置までの範囲を外部に開放する。このとき、軸５１の矢印Ｅ方向の回転が、図２に示した伝達機構により、搬送ローラ対３の上側ローラ３Ａに矢印Ｃ方向の回転として伝達される。搬送ローラ対３の下側ローラ３Ｂは用紙１００を挟んで上側ローラ３Ａに圧接した状態のままであり、上側ローラ３Ａが矢印Ｃ方向に回転すると、用紙１００には用紙搬送路１１の下流側へ向かう搬送力が供給される。
【００３６】
用紙搬送路１１における搬送ローラ対３の下流側は、ガイド部材６によって用紙１００の裏面に対向する側に凸となる形状に湾曲している。画像形成開始位置１１１では、転写ローラ４５がカバー部材５とともに回動して感光体ドラム４１との間に用紙１００を挟持しなくなる。しかし、用紙１００は、画像形成開始位置１１１の下流側近傍でストッパ７により、特に裏面に対向する側への変位を規制されている。また、搬送ローラ対３から画像形成開始位置１１１を経由して画像形成終了位置１１２に至る間で用紙搬送路１１は、斜め上方に向かって用紙１００を搬送する。
【００３７】
これらのことから、搬送ローラ対３から作用する搬送力により、用紙１００の一部が裏面に対向する側に弛みを生じ、カバー部材５によって開放された外部に向かって突出する。用紙１００において弛みを生じる部分は、画像形成開始位置１１１を通過しておらず、未だトナー像は転写されていない。このため、用紙１００において弛みを生じた部分を摘んでも、トナーによって手指を汚損することがない。
【００３８】
図４（Ａ）〜（Ｆ）は、画像形成装置の要部の正面図及び側面図である。図４（Ａ）及び（Ｂ）は、用紙１００が適正に搬送されている状態での画像形成装置１００の要部の正面図及び側面図である。図４（Ｃ）及び（Ｄ）は、搬送不良によって滞留した用紙１００の除去作業の開始時における画像形成装置１００の要部の正面図及び側面図である。図４（Ｅ）及び（Ｆ）は、画像形成終了位置１１２における用紙の挟持を解除した状態での画像形成装置１００の要部の正面図及び側面図である。
【００３９】
図４（Ａ）及び（Ｂ）に示すように、用紙１００が適正に搬送されている場合、画像形成開始位置１１１で転写ローラ４５が用紙１００を挟んで感光体ドラム４１に圧接し、トナー像が感光体ドラム４１の周面から用紙１００の表面に転写される。また、画像形成終了位置１１２で加圧ローラ４７２が用紙１００を挟んで加熱ローラ４７１に圧接し、用紙１００の表面にトナー像が定着する。
【００４０】
このとき、軸体７１に形成されたストッパ７は、用紙搬送路１１における画像形成開始位置１１１の下流側近傍で、用紙１００の裏面に幅方向の両端部で当接し、用紙１００の裏面の位置を規定している。
【００４１】
軸体７１の上部からは、用紙１００の幅方向の外側に向かって突起７２が延出している。突起７２には、回転軸９１に軸支された解除レバー９の下端部が対向している。解除レバー９は、この発明の解除部材である。回転軸９１には、この発明の第２の伝達部材である当接部材９２の下端部が固定されている。当接部材９２の上端部は、加圧ローラ４７２を軸支するレバー４７４の自由端に対向している。
【００４２】
図４（Ｃ）及び（Ｄ）に示すように、滞留した用紙１００の除去作業が開始され、図示しないカバー部材５の回動によって画像形成開始位置１１１での用紙１００の挟持が解除された後にも、ストッパ７及びレバー４７４は変位しない。このため、画像形成開始位置１１１の上流側で用紙１００の一部に外部に向かって弛みを生じるが、画像形成終了位置１１２での用紙１００の挟持状態は維持されたままである。この状態で、作業者が用紙１００の弛みを生じている部分を外部に引き出すと、図示しない搬送ローラ対３の回転によって用紙１００の後端部（上流側の端部）が外部に露出する。
【００４３】
したがって、滞留した用紙１００の先端部（下流側の端部）が画像形成終了位置１１２に達していない場合には、図４（Ｃ）及び（Ｄ）に示す状態で、用紙１００を用紙搬送路１１から除去できる。但し、感光体ドラム４１の周面が用紙１００の表面に転写したトナー像によって汚損する可能性はある。
【００４４】
図４（Ｅ）及び（Ｆ）に示すように、解除レバー９の上端部が外部に向かう方向に操作されると、解除レバー９が回転軸９１を中心に回転し、解除レバー９の下端部が突起７２を内部に向かって押圧する。解除レバー９の下端部による押圧により、軸体７１がストッパ７とともに回転し、ストッパ７は用紙１００の裏面に当接しなくなる。また、回転軸９１が回転することにより、当接部材９２の上端部が押圧バネ４７３の弾性力に抗してレバー４７４の自由端を押圧し、加圧ローラ４７２が加熱ローラ４７１から離間し、画像形成終了位置１１２における用紙１００の挟持が解除される。
【００４５】
したがって、作業者が一方の手指で解除レバー９の上端部を手前側に操作したまま、他方の手指で用紙１００の弛みを生じている部分を外部に向けて引き出すことで、先端部が画像形成位置１１２に達している用紙１００を用紙搬送路１１から容易に除去できる。
【００４６】
解除レバー９は用紙１００の幅方向の両端部に対置されているため、作業者は操作が容易な方の手で解除レバー９を操作することができる。
【００４７】
なお、上記の実施形態では電子写真方式の画像形成を行う画像形成装置１００を例に挙げて説明したが、本願発明はインクジェット方式等の電子写真方式以外の方式で画像形成を行う画像形成装置にも同様に適用することができる。
【００４８】
また、ストッパ７の配置位置は、画像形成開始位置１１１の近傍であることを条件に、画像形成開始位置１１１の上流側とすることもできる。但し、解除レバー９の操作によってストッパ７に退避動作を行わせるためには、解除レバー９に近接して配置することが好ましい。
【００４９】
上述の実施形態の説明は、すべての点で例示であって、制限的なものではない。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００５０】
【図１】この発明の実施形態に係る画像形成装置の概略の側面断面図である。
【図２】画像形成装置の伝達部材の構成及び動作を示す図であり、（Ａ）及び（Ｂ）は側面図、（Ｃ）は平面図である。
【図３】滞留した用紙の除去作業にカバー部材を開放した状態を示す画像形成装置の概略の側面断面図である。
【図４】（Ａ）〜（Ｆ）は、画像形成装置の要部の正面図及び側面図である。
【符号の説明】
【００５１】
１−給紙トレイ
３−搬送ローラ対
４−画像形成部
５−カバー部材
６−ガイド部材
７−ストッパ（規制部材）
８−伝達機構
９−解除レバー（解除部材）
１１−用紙搬送路
１００−用紙
１１１−画像形成開始位置
１１２−画像形成終了位置
【図１】
2010061051.tif 000003
【図２】
2010061051.tif 000004
【図３】
2010061051.tif 000005
【図４】
2010061051.tif 000006